(57)【要約】【課題】複数の画像をレイアウトして１枚の画像を得るための放射線撮影において、撮影により得られた画像がどこにレイアウトされるかを撮影技師が容易に把握できるようにする。【解決手段】複数の放射線画像を、設定されたレイアウトにしたがって配置して出力画像を生成する放射線撮影装置は、出力画像を生成するためのレイアウトを設定すると、その設定されたレイアウトに含まれる全てのレイアウト位置の各々について撮影が終了済みか否かを示す撮影手技表示を提示する。放射線撮影装置は、撮影手技表示を提示している間に受信された放射線画像にいついて、どのレイアウト位置に対応するかを判定し、判定されたレイアウト位置について撮影が終了したことを示すように撮影手技表示を更新する。【選択図】図３
2013180064.tif 000002
【特許請求の範囲】
【請求項１】
複数の放射線画像を、設定されたレイアウトにしたがって配置して出力画像を生成する放射線撮影装置であって、
出力画像を生成するためのレイアウトを設定する設定手段と、
前記設定手段で設定されたレイアウトに含まれる全てのレイアウト位置の各々について撮影が終了しているか否かを示す撮影手技表示を提示する提示手段と、
前記撮影手技表示を提示している間に受信された放射線画像がどのレイアウト位置に対応するかを判定する判定手段と、
前記判定手段により判定されたレイアウト位置について撮影が終了したことを示すように前記撮影手技表示を更新する更新手段と、を備えることを特徴とする放射線撮影装置。
【請求項２】
前記撮影手技表示は、前記設定されたレイアウトの各レイアウト位置に対応した位置関係を有するように配置された部分領域を有し、
前記更新手段は、前記判定されたレイアウト位置に対応する部分領域を、撮影済みであることを明示する表示形態に更新する、ことを特徴とする請求項１に記載の放射線撮影装置。
【請求項３】
前記更新手段は、前記判定されたレイアウト位置に対応する部分領域に、前記受信された放射線画像から生成されたサムネイル画像を表示する、ことを特徴とする請求項２に記載の放射線撮影装置。
【請求項４】
前記提示手段は、前記撮影手技表示を提示している間に新たなレイアウトの設定がなされると、前記新たなレイアウトに含まれる全てのレイアウト位置の各々について撮影の終了と未終了を示すことが可能な新たな撮影手技表示を提示することを特徴とする請求項１に記載の放射線撮影装置。
【請求項５】
放射線画像の再撮影を指示する指示手段を更に備え、
前記判定手段は、前記撮影手技表示に示されている複数の部分領域のうちの一つを選択した状態で前記再撮影が指示されると、該再撮影により受信された放射線画像のレイアウト位置を該選択された部分領域に対応したレイアウト位置と判定することを特徴とする請求項１に記載の放射線撮影装置。
【請求項６】
前記設定されたレイアウトの出力画像を得るための放射線画像の撮影に対して保留と再開を指示する指示手段を更に備え、
前記保留が指示されると、前記更新手段で更新された前記撮影手技表示を復帰させるための情報を保持して前記設定されたレイアウトの出力画像を得るための放射線撮影を待機させ、前記再開が指示されると、保持されている前記撮影手技表示を復帰させるための情報を読み出して前記撮影手技表示を復帰させる制御手段を更に備える、ことを特徴とする請求項１に記載の放射線撮影装置。
【請求項７】
前記受信された放射線画像を、判定されたレイアウト位置と関連付けて保持する保持手段と、
前記保持手段に保持された放射線画像を、関連付けられているレイアウト位置に配置して前記出力画像を生成する生成手段と、を更に備えることを特徴とする請求項１に記載の放射線撮影装置。
【請求項８】
前記生成手段は、前記設定されたレイアウトの全てのレイアウト位置に対応する射線画像が取得されたことに応じて前記出力画像を生成することを特徴とする請求項７に記載の放射線撮影装置。
【請求項９】
前記生成手段は、前記設定されたレイアウトの全てのレイアウト位置に対応する射線画像が取得された後に、別のレイアウトが設定されたことに応じて前記出力画像を生成することを特徴とする請求項７に記載の放射線撮影装置。
【請求項１０】
前記設定手段は、外部装置から受信したレイアウト情報に基づいて、前記レイアウトを設定することを特徴とする請求項１に記載の放射線撮影装置。
【請求項１１】
前記撮影手技表示または前記部分領域のそれぞれには、放射線撮影のための撮影パラメータまたは取得された放射線画像を処理するための画像処理パラメータが関連付けられていることを特徴とする請求項２に記載の放射線撮影装置。
【請求項１２】
撮影された画像の出力のレイアウト情報が関連付けられた複数の放射線撮影の撮影情報を取得する情報の取得手段と、
前記撮影情報を用いて撮影された放射線画像を取得する画像の取得手段と、
前記放射線画像の縮小画像を前記レイアウト情報に従う配置を示す態様で前記撮影情報とともに表示部に表示させる表示制御手段と、
を備えることを特徴とする放射線撮影情報の処理装置。
【請求項１３】
複数の放射線画像を、設定されたレイアウトにしたがって配置して出力画像を生成する放射線撮影装置の制御方法であって、
設定手段が、出力画像を生成するためのレイアウトを設定する工程と、
提示手段が、前記設定する工程で設定されたレイアウトに含まれる全てのレイアウト位置の各々について撮影が終了しているか否かを示す撮影手技表示を提示する工程と、
判定手段が、前記撮影手技表示を提示している間に受信された放射線画像にいついて、どのレイアウト位置に対応するかを判定する工程と、
更新手段が、前記判定する工程で判定されたレイアウト位置について撮影が終了したことを示すように前記撮影手技表示を更新する工程と、を有することを特徴とする放射線撮影装置の制御方法。
【請求項１４】
撮影された画像の出力のレイアウト情報が関連付けられた複数の放射線撮影の撮影情報を取得する工程と、
前記撮影情報を用いて撮影された放射線画像をメモリに記憶する工程と、
前記放射線画像の縮小画像を前記レイアウト情報に従う配置を示す態様で前記撮影情報とともに表示部に表示させる工程と、
を有することを特徴とする放射線撮影情報の表示処理方法。
【請求項１５】
請求項１３または１４に記載の方法の各工程をコンピュータに実行させるためのプログラム。
【発明の詳細な説明】
【技術分野】
【０００１】
本発明は、固体撮像装置等を用いた放射線撮影装置及び放射線撮影装置の制御方法、放射線撮影情報の処理装置及び放射線撮影情報の表示処理方法に関するものである。
【背景技術】
【０００２】
従来から放射線を用いた撮影は様々な分野で利用されており、特に医療分野においては、診断のための重要な手段の一つとなっている。また、近年では放射線撮影で得られる放射線像を、デジタル化した画像データとして収集する撮像センサが実用化されており、放射線撮影分野におけるデジタル化が進んでいる。
【０００３】
一方、放射線撮影を行う方法の一つとして分割撮影と呼ばれる方法がある。分割撮影とは、放射線の絞りを調整し、分割マスクの遮蔽板を撮像センサへ設置することで、有効な撮影領域を絞った分割撮影を複数回行い、最後に分割撮影画像をレイアウトする撮影方法である。上記の分割撮影方法を記載した文献としては、特許文献１、特許文献２がある。
【先行技術文献】
【特許文献】
【０００４】
【特許文献１】特開２００３−３３３４３号公報
【特許文献２】特開２００２−２６３０８９号公報
【発明の概要】
【発明が解決しようとする課題】
【０００５】
しかしながら、特許文献１，２のいずれにも、分割撮影時における撮影技師の操作性の向上については何等検討されていない。一般に、放射線撮影装置のユーザインターフェースでは、各放射線撮影に対応した撮影手技ボタンが提示される。撮影手技ボタンには、撮影手技名や撮影に用いられるパラメータ（管電流、管電圧など）がリンクしており、撮影手技ボタンを選択して放射線撮影を実行することで、適切な放射線画像が得られる。上述のような分割撮影を行う場合、一つ一つの分割撮影が１回の撮影に対応するため、ユーザインターフェースには分割数に応じた数の撮影手技ボタンを配置することになる。撮影手技ボタンの数が増えると、撮影手技ボタンを選択して撮影を行った撮影画像、或いは、これから撮影を行なって得られる撮影画像がどこにレイアウトされる予定のものであるかを撮影技師が判断しづらくなるという課題が発生する。このため、撮影技師、及び被写体に対して、分割撮影を行う時間の増加や、誤照射による再撮影の可能性の増加という課題が発生していた。
【０００６】
本発明は上記課題に鑑みてなされたものであり、複数の画像をレイアウトして１枚の画像を得るための放射線撮影において、撮影により得られた画像がどこにレイアウトされるかを撮影技師が容易に把握できるようにすることを目的とする。
【課題を解決するための手段】
【０００７】
上記の目的を達成するための本発明の一態様による放射線撮影装置は以下の構成を備える。すなわち、
複数の放射線画像を、設定されたレイアウトにしたがって配置して出力画像を生成する放射線撮影装置であって、出力画像を生成するためのレイアウトを設定する設定手段と、前記設定手段で設定されたレイアウトに含まれる全てのレイアウト位置の各々について撮影が終了しているか否かを示す撮影手技表示を提示する提示手段と、前記撮影手技表示を提示している間に受信された放射線画像がどのレイアウト位置に対応するかを判定する判定手段と、前記判定手段により判定されたレイアウト位置について撮影が終了したことを示すように前記撮影手技表示を更新する更新手段と、を備える。
また、本発明のその他の一態様による放射線撮影情報の処理装置は以下の構成を備える。すなわち、撮影された画像の出力のレイアウト情報が関連付けられた複数の放射線撮影の撮影情報を取得する情報取得手段と、前記撮影情報を用いて撮影された放射線画像を取得する画像取得手段と、前記放射線画像の縮小画像を前記レイアウト情報に従う配置を示す態様で前記撮影情報とともに表示部に表示させる表示制御手段と、を備える。
【発明の効果】
【０００８】
本発明によれば、複数の画像をレイアウトして１枚の画像を得るための放射線撮影において、撮影により得られた画像がどこにレイアウトされるかを撮影技師が容易に把握できるようになる。
【図面の簡単な説明】
【０００９】
【図１】第１実施形態による放射線撮影システムの構成を示すブロック図。
【図２】実施形態による放射線撮影装置の撮影画面（ＧＵＩ）の一例を示す図。
【図３】第１実施形態による撮影手技配置領域１２０を示す図。
【図４】第１実施形態による撮影手技配置領域１２０を示す図。
【図５】第１実施形態における放射線撮影装置の動作を示すフローチャート。
【図６】第１実施形態における放射線発生装置の動作を示すフローチャート。
【図７】第２実施形態による撮影画面を示す図。
【図８】第２実施形態による再撮影操作領域８２０を示す図。
【図９】第２実施形態による再撮影の処理を示すフローチャート。
【図１０】第３実施形態による撮影画面を示す図。
【図１１】第３実施形態による放射線撮影システムの構成を示すブロック図。
【図１２】第３実施形態による検査保留の処理を示すフローチャート。
【図１３】第４実施形態における、撮影手技ボタン、サムネイル表示領域を示す図。
【図１４】第５実施形態による画像出力処理を説明するフローチャート。
【発明を実施するための形態】
【００１０】
以下、本発明を適用した好適な実施形態のいくつかの例を、添付図面を参照しながら詳細に説明する。
【００１１】
＜第１実施形態＞
図１は、第１実施形態における放射線撮影システムの構成例を表すブロック図である。本実施形態の放射線撮影システムは、放射線撮影装置２１０、放射線検出器２２０、放射線発生装置２３０を有する。放射線撮影装置２１０は、撮影装置制御部２１１、発生装置通信部２１２、操作者の入力を検知するＨＩＤ（Human Interface Device）２１３、画面表示部２１４、撮影装置通信部２１５、画像出力部２１６を有する。放射線検出器２２０は、放射線検出器制御部２２１、撮影部２２２、撮影装置通信部２２３を有する。また、放射線発生装置２３０は、発生装置制御部２３１、管球２３２、発生装置通信部２３３、照射スイッチ２３４、分割撮影ボタン２３５を有する。
【００１２】
放射線撮影装置２１０において、撮影装置制御部２１１は、発生装置通信部２１２を介して、放射線発生装置２３０からレイアウト情報を受信する。撮影装置制御部２１１は、受信したレイアウト情報にしたがって分割撮影のレイアウトを設定し、図２や図３等により後述するユーザインターフェースを制御する。レイアウト情報は、分割撮影における画像の配置を示す情報であり、たとえば上下左右に４つの画像を配置する場合は「２×２」という情報となり、左右に２つの画像を配置する場合は「１×２」という情報となる。また、撮影装置制御部２１１は、ＨＩＤ２１３より撮影技師が行なった放射線撮影装置２１０への操作を検知する。また、撮影装置制御部２１１は、画面表示部２１４へ放射線撮影の操作のためのユーザインターフェース（撮影画面１００）を表示する。ＨＩＤ２１３と画面表示部２１４により、タッチスクリーンを利用したユーザインターフェースが提供される。また、撮影装置制御部２１１は、撮影装置通信部２１５を介して放射線検出器２２０が撮影した撮影画像を受信する。また、撮影装置制御部２１１は、画像出力部２１６より放射線撮影装置２１０に接続された図示しない画像受信装置へ出力画像を送信する。
【００１３】
放射線発生装置２３０において、発生装置制御部２３１は、発生装置通信部２３３を通してレイアウト情報を外部へ（放射線撮影装置２１０へ）送信する。また、発生装置制御部２３１は、分割撮影ボタン２３５に対してなされた撮影技師からの分割撮影指示を検知し、その分割撮影条件に応じて管球２３２へ放射線絞りの指示を行う。発生装置制御部２３１は撮影される各部位に応じた大きさに放射線絞りの大きさを変更させる。撮影対象の部位が指やその他の比較的小さな領域である場合には、照射野を絞ることとしてもよい。たとえば、撮影技師が分割撮影ボタン２３５を操作して２×２の分割撮影を指示すると、発生装置制御部２３１は管球２３２の放射線絞りを制御する。そして、発生装置制御部２３１は、２×２の分割撮影を示すレイアウト情報を、発生装置通信部２３３を介して放射線撮影装置２１０に送信する。また、発生装置制御部２３１は、照射スイッチ２３４より撮影技師からの放射線照射指示を検知し、管球２３２より放射線を発生させる。放射線検出器２２０において、放射線検出器制御部２２１は、撮影部２２２で受けた放射線より放射線画像を生成し、撮影装置通信部２２３を通して放射線画像を外部へ（放射線撮影装置２１０へ）送信する。
【００１４】
次に、本実施形態による放射線撮影装置のＧＵＩ（Graphic User Interface）の一例を、図２を参照して説明する。撮影画面１００は、放射線撮影を行うための操作や撮影結果を表示する画面である。患者情報表示領域１１０は、撮影を行う患者名、生年月日、患者ＩＤなどを表示する領域である。撮影手技配置領域１２０は、撮影手技ボタン１２１を配置する領域である。撮影手技ボタン１２１は、撮影情報（撮影手技名）を表示する撮影情報表示領域１２３と、撮影を行って得られた画像の縮小画像を表示するためのサムネイル表示領域１２２とを有する。また、撮影手技ボタン１２１は、トグルボタンであり、撮影手技配置領域１２０に配置されている複数の撮影手技ボタンのうち常に１つが選択されるようになっている。撮影終了ボタン１４０を押すと、一連の撮影動作が終了し、撮影画面１００がクローズする。また、手技追加ボタン１５０が押されると、撮影手技ボタン１２１が撮影手技配置領域１２０に追加される。
【００１５】
図１において撮影手技ボタン１２１ｃは選択中であり、他の撮影手技ボタンは非選択中である。図１では、この状態で放射線撮影が行なわれた状態を示しており、その放射線撮影の結果（撮影画像１３１）がサムネイルとしてサムネイル表示領域１２２ｃに表示されている。撮影が行われていない撮影手技ボタン１２１のサムネイル表示領域には画像は表示されない。図２の例では、撮影手技ボタン１２１ａでの撮影はまだ行われておらず、サムネイル表示領域１２２ａには画像（サムネイル）は表示されていない。他方、撮影手技ボタン１２１ｂ、１２１ｃ、１２１ｄでの撮影はすでに実行済みとなっており、サムネイル表示領域１２２ｂ、１２２ｃ、１２２ｄには撮影画像のサムネイルが表示されている。
【００１６】
撮影手技ボタン１２１を選択して放射線撮影を実行すると、撮影画像表示領域１３０に撮影画像１３１が表示される。撮影画像１３１は、放射線の絞り、及び／または、分割マスクの遮蔽板を撮像センサへ配置していることにより、画像は放射線照射部分と放射線非照射部分に分けられる。１３２は、分割画像として使用する画像を切り出す切り出し領域である。放射線撮影装置２１０は、撮影画像１３１から放射線照射部分と放射線非照射部分を判断して、切り出し領域を自動的に選択する。また、切り出し領域１３２は、自動的に抽出された後、撮影技師により手動で調整可能としてもよい。
【００１７】
以上のようなユーザインターフェースを有する放射線撮影装置を用いて分割撮影を行なう場合には、次のような操作手順が考えられる。まず、撮影技師が放射線撮影装置を起動した後、不図示の撮影開始ボタンを押下すると、放射線撮影装置２１０は画面表示部２１４に撮影画面１００を表示する。撮影技師は分割撮影において必要な撮影回数（分割数）の分だけ手技追加ボタン１５０を押下する。すると、撮影回数に相当する個数の撮影手技ボタン１２１が撮影手技配置領域１２０へ配置される。次に、撮影技師は、撮影手技配置領域１２０に配置された撮影手技ボタン１２１の中から未撮影の撮影手技ボタンを選択し放射線撮影を行う。未撮影の撮影手技ボタン１２１の選択と放射線撮影の実行を繰り返し、必要な放射線画像（分割画像）が撮影されると、撮影技師は撮影終了ボタン１４０を押下する。撮影終了ボタン１４０が押されると撮影画面１００がクローズし、不図示のレイアウト画面が表示される。撮影技師はレイアウト画面において上記放射線撮影により取得された複数の分割画像を配置して、分割撮影の出力結果としての出力画像を作成する。最後に、放射線撮影装置は表示装置や記憶装置といった外部装置へその出力画像を送信する。
【００１８】
しかしながら、上述のようなユーザインターフェースによる分割撮影では、分割数が増えると、すなわち、撮影手技ボタンの数が増えると、次のような課題が生ずる。すなわち、撮影手技ボタンを選択して撮影を行った撮影画像、或いは、これから撮影を行なって得られる撮影画像がどこにレイアウトされる予定のものであるかを撮影技師が判断しづらくなる。また、レイアウト画面において分割撮影した画像をレイアウトする際にも、どの画像をどこに配置すべきであるかを判断し難くなることがある。
【００１９】
そこで、本実施形態では、放射線発生装置２３０から受信したレイアウト情報に応じて撮影画面１００における撮影手技配置領域１２０の表示を図３に示すようにする。なお、本実施形態の撮影画面１００において、撮影手技配置領域１２０以外は図２と同様である。図３は、放射線発生装置２３０より発生装置通信部２１２を介してレイアウト情報を受信した場合の、放射線撮影装置２１０が表示する撮影手技配置領域１２０の表示状態を示す図である。図３（ａ）は、放射線撮影装置２１０が発生装置通信部２１２より２×２のレイアウト情報を受信した場合の撮影手技配置領域１２０の表示状態を示す。図３（ｂ）は、図３（ａ）の状態（サムネイル表示領域３１１ａが選択された状態）で１枚の分割撮影を行った場合の、撮影手技配置領域１２０における表示状態を示す。撮影手技ボタン３０１は、レイアウト情報により設定されたレイアウトの各レイアウト位置に対応する位置関係を有するように部分領域が配置された撮影手技表示を含む。この撮影手技表示に含まれている部分領域の各々は、撮影の終了／未終了を其の表示形態を変更することで提示可能となっている。図３では、そのような部分領域としてのサムネイル表示領域３１１ａ〜３１１ｄが２×２のレイアウト情報通りに配置された撮影手技表示が示されている。本実施形態の撮影手技表示では、設定された分割撮影のレイアウトに含まれるすべてのレイアウト位置の各々に対応するサムネイル表示領域３１１ａ〜３１１ｄが、設定された分割撮影のレイアウトの各レイアウト位置に対応する位置関係を有して設けられている。後述するように、撮影手技ボタン３０１を構成する複数のサムネイル表示領域３１１はトグルボタンとなっており、これら複数のサムネイル表示領域３１１のうち常に１つが選択されるようになっている。
【００２０】
サムネイル表示領域３１１ａは、２×２のレイアウトのうちの左上に配置される画像に対応し、選択中であり、且つ撮影が行われていない状態を示している。この状態で照射スイッチ２３４が押されて放射線画像が取得されると、図３（ｂ）に示すように、サムネイル表示領域３１１ａに取得された分割画像がサムネイルとして表示される。こうして取得された画像は左上に配置されることを示す情報と関連付けて保持される。なお、本実施形態では、撮影手技ボタン３０１の各サムネイル表示領域にサムネイルを表示するか否かで該当する分割撮影が終了しているか否かが示される。ただし、本発明はこのような形態に限られるものではなく、対応する表示領域を所定の色で塗りつぶすなどして、撮影が終了していることを示すようにすれば、撮影前の撮影情報についても分割撮影のレイアウト情報をユーザに分かりやすい形で提示することができる。図３（ａ）において、サムネイル表示領域３１１ｂ〜３１１ｄは、それぞれ２×２のレイアウトのうちの右上、左下、右下に配置される画像に対応し、非選択で且つ撮影が行われていないサムネイル表示領域となっている。図３（ｂ）において、選択中の状態がサムネイル表示領域３１１ｂに移動している。これは、サムネイル表示領域３１１ａに対する放射線撮影が終了したことにより自動的に行われる。もちろん、ユーザが所望のサムネイル表示領域を指示することにより行われてもよい。なお、ユーザが所望のサムネイル表示領域を選択することにより、所望の配置に対応した画像の撮影を行なうことができる。なお、撮影済みの分割画像について撮影のやり直しを行なう構成については第２実施形態で説明する。
【００２１】
図４は、受信したレイアウト情報に対応した枚数の画像が取得される前に、新たなレイアウト情報を放射線発生装置２３０から受信した場合の動作例（撮影手技配置領域１２０の表示例）を示す図である。図４（ａ）では、発生装置通信部２１２より２×２のレイアウト情報を受信して３枚の分割撮影（左上、右上、左下の分割撮影）を行った状態が示されている。すなわち、２×２のレイアウト情報に対応した撮影手技ボタン３０１において、サムネイル表示領域３１１ａ〜３１１ｃに、撮影により得られたサムネイル画像が表示され、サムネイル表示領域３１１ｄが「選択中」となっている。このように、指示された分割撮影における一連の撮影が未完了の状態で放射線発生装置２３０から新たなレイアウト情報を受信すると、受信したレイアウト情報に対応した手技ボタンが表示される。
【００２２】
たとえば、図４（ａ）の状態で１×２のレイアウト情報を受信すると、図４（ｂ）に示すような表示となり、撮影手技配置領域１２０には、１×２のレイアウトに対応した撮影手技ボタン３０２が表示される。このとき、サムネイル表示領域の選択状態は、それまでのレイアウト情報に対応していた撮影手技ボタン３０１から新たに受信されたレイアウト情報に対応した撮影手技ボタン３０２に自動的に移動する。これ以降、撮影手技ボタン３０１，３０２のいずれのサムネイル領域も選択可能とすることができる。或いは、新たに受信されたレイアウト情報に関わる分割撮影を終えるか、更に新たなレイアウト情報が受信されるまで、撮影手技ボタン３０２内のサムネイル表示領域しか選択できないようにしてもよい。撮影手技ボタン３０２には、サムネイル表示領域３２１が１×２のレイアウト情報通りに配置されている。サムネイル表示領域３２１ａは、１×２のレイアウトにおける左側の画像に対応し、選択中であり、且つ撮影が行われていない状態を示している。サムネイル表示領域３２１ｂは、１×２のレイアウトにおける右側の画像に対応し、非選択状態で且つ撮影が行われていない状態を示している。この状態で撮影が行なわれると、撮影画像から得られたサムネイルがサムネイル表示領域３２１ａに表示される。そして、自動的に選択中の状態が移動する場合には、自動的にサムネイル表示領域がサムネイル表示領域３２１ｂが選択中となる。
【００２３】
第１実施形態の放射線撮影システムにおける分割撮影の処理を図５、図６に示すフローチャートに基づいて説明する。なお、図５に示されるフローチャートは撮影装置制御部２１１により実行される処理を示しており、この処理は撮影技師が不図示の撮影開始ボタンを押すことで開始される。図６に示されるフローチャートは放射線発生装置２３０の発生装置制御部２３１による実行される処理を示している。
【００２４】
放射線撮影装置２１０において撮影開始ボタンが押されると、ステップＳ５０１において、撮影装置制御部２１１は画面表示部２１４において撮影画面１００（図１）を表示する。ただし、この状態で、撮影手技配置領域１２０には、まだ撮影手技ボタンは表示されていない。そして、ステップＳ５０２において、撮影装置制御部２１１は、放射線発生装置２３０からレイアウト情報が受信されるのを待つ。
【００２５】
他方、撮影技師は、放射線発生装置２３０において分割撮影の準備を行なう。まず、撮影技師が分割撮影ボタン２３５を押すと、発生装置制御部２３１は分割指示がなされたと判断して、処理をステップＳ６０１からステップＳ６０２へ進める。なお、撮影技師は、分割撮影ボタン２３５を用いて所望の分割レイアウト（２×２や１×２など）を選択することができ、分割指示には分割撮影時のレイアウト（たとえば、２×２の分割撮影、１×２の分割撮影など）の指定も含まれる。ステップＳ６０２において、発生装置制御部２３１は、選択された分割レイアウトに応じて管球２３２の放射線絞りを調整する。その後、ステップＳ６０３において、発生装置制御部２３１は、選択された分割レイアウトを示すレイアウト情報を、発生装置通信部２３３を介して外部（放射線撮影装置２１０）へ送信する。
【００２６】
撮影装置制御部２１１は、ステップＳ６０３において放射線発生装置２３０から送信されたレイアウト情報を受信すると、処理をステップＳ５０２からステップＳ５０３へ進める。ステップＳ５０３において、撮影装置制御部２１１は、受信したレイアウト情報により示される分割撮影のレイアウトを設定し、このレイアウトに対応したサムネイル表示領域を持つ撮影手技ボタンを決定して、画面表示部２１４へ表示する。本実施形態では、この処理により、撮影画面１００の撮影手技配置領域１２０内に、レイアウト情報に応じた形態の撮影手技ボタンとサムネイル表示領域が表示される。例えば、レイアウト情報が２×２を示す場合、図３（ａ）に示した撮影手技ボタン３０１（サムネイル表示領域３１１）が表示される。
【００２７】
ステップＳ５０４において、撮影装置制御部２１１は、複数のサムネイル表示領域の一つを選択する。選択中のサムネイル表示領域は、これから撮影される放射線画像の分割撮影におけるレイアウト位置に対応する。例えば、図３（ａ）に示されるように、サムネイル表示領域３１１ａが選択中になった場合、これから撮影される放射線画像から得られる分割画像は、必要に応じて縮小されて２×２レイアウト中の右上に配置されることになる。本実施形態では、撮影装置制御部２１１が自動的にサムネイル表示領域３１１を選択していくものとする。ユーザが所望のサムネイル表示領域３１１を選択して、所望のレイアウト位置の分割画像の撮影を行えるようにしてもよいことは上述したとおりである。そして、ステップＳ５０５において、撮影装置制御部２１１は、放射線画像を受信するのを待つ。
【００２８】
なお、たとえば「手」を分割撮影する場合や「足」を分割撮影する場合で撮影パラメータ（管電流、フォトタイマ値など）が異なる場合は、撮影画面１００においてこれから行う分割撮影の対象が「手」なのか「足」なのかを撮影技師に選択させる。そして、選択された分割撮影に対応する撮影手技ボタンが撮影手技配置領域１２０に表示されるようにする。また、放射線撮影装置２１０は、たとえば上下左右の分割位置で撮影パラメータが異なる場合、各サムネイル表示領域と撮影パラメータをリンクさせ、選択されているサムネイル表示領域の撮影パラメータを放射線発生装置２３０や放射線検出器２２０に通知する。
【００２９】
放射線発生装置２３０において撮影技師が照射スイッチ２３４をオンすると、処理はステップＳ６０４からステップＳ６０５へ進む。ステップＳ６０５において、発生装置制御部２３１は、管球２３２を駆動して放射線を発生させる。その後、処理はステップＳ６０１へ戻る。なお、管球２３２から発生した放射線を撮影部２２２により検出することで、放射線検出器２２０の放射線検出器制御部２２１は放射線画像（撮影画像）を取得する。放射線検出器制御部２２１は、撮影装置通信部２２３を介して放射線撮影装置２１０に撮影画像を送信する。
【００３０】
放射線撮影装置２１０において撮影画像が受信されると、処理はステップＳ５０５からステップＳ５０６へ進む。ステップＳ５０６において、撮影装置制御部２１１は、画面表示部２１４を制御して、撮影画像表示領域１３０に撮影画像を表示する。次に、ステップＳ５０７において、撮影装置制御部２１１は撮影画像の照射領域を抽出し、撮影画像表示領域１３０に切り出し領域１３２を表示する。次に、ステップＳ５０８において、撮影装置制御部２１１は、抽出した照射領域より分割画像を生成して、選択中のサムネイル表示領域３１１にその分割画像を縮小表示する。本実施形態では、ステップＳ５０５で受信された放射線画像が対応するレイアウト位置を、撮影手技ボタン３０１のどのサムネイル表示領域が選択中であるかにしたがって判定する。たとえば、図３（ａ）の状態で受信された放射線画像は、２×２のレイアウトの左上のレイアウト位置に対応するものと判定される。そして、撮影装置制御部２１１は、判定されたレイアウト位置のサムネイル表示領域に受信した撮影画像のサムネイルを表示することにより撮影手技表示を更新し、当該レイアウト位置について撮影が終了したことを示す。ステップＳ５０９において、撮影装置制御部２１１は、選択中のサムネイル表示領域の配置位置とステップＳ５０７で切り出された分割画像とを関連付けて、不図示のメモリに保持する。例えば、サムネイル表示領域３１１ａが選択中であった場合、取得された分割画像を縮小して得られたサムネイルがサムネイル表示領域３１１ａに表示される。そして、この分割画像は、２×２のレイアウト中の左上という配置位置が関連付けられて保持される。
【００３１】
撮影終了ボタン１４０が押下されるまで、或いは、別のレイアウト情報が受信されるまで、上述のステップＳ５０４以降の処理が繰り返される（ステップＳ５１０、Ｓ５１１）。放射線発生装置２３０からレイアウト情報が新たに受信されると、処理はステップＳ５１１からステップＳ５０３に戻り、新たに受信されたレイアウト情報にしたがって、新たな撮影手技ボタンとサムネイル表示領域を表示する。そして、新たに受信されたレイアウト情報にしたがった分割撮影を実行する。たとえば、図４に示されるように、撮影装置制御部２１１は、２×２のレイアウトで分割撮影を行なっている間に１×２のレイアウト情報を新たに受信すると、ステップＳ５０３において撮影手技ボタン３０２を表示する。なお、新たなレイアウト情報は、現在分割撮影を行なっているレイアウトと同じものであってもよい。例えば、２×２の分割撮影を行なっている間に、２×２の新たなレイアウト情報を受信した場合には、図４（ｂ）において、撮影手技ボタン３０２の代わりに図３（ａ）に示した撮影手技ボタン３０１が追加的に撮影手技配置領域１２０に表示される。
【００３２】
撮影技師が、撮影画面１００の撮影終了ボタン１４０を押下すると、処理はステップＳ５１０からステップＳ５１２に進む。ステップＳ５１２において、撮影装置制御部２１１は、撮影画面１００をクローズする。そして、ステップＳ５１３において、撮影装置制御部２１１は、画面表示部２１４へ図示しないレイアウト画面を表示する。レイアウト画面において、撮影装置制御部２１１は、ステップＳ５０９で保持された各分割画像を、これに関連付けられた配置位置にしたがってレイアウトして１枚の出力画像を生成し、これを表示する。したがって、撮影技師は、レイアウト画面において最初から分割画像を配置する必要がなくなるので、結果として分割撮影時の操作性が向上する。撮影技師が、表示された画像を確認し、レイアウト画面にある図示しない出力ボタンを押下すると、撮影装置制御部２１１は、画像出力部２１６を介して外部装置へ出力画像を送信する。なお、外部装置としては、たとえば、外部記憶装置や医療用端末装置が挙げられる。また、レイアウト画面において、分割画像の配置の変更や配置位置の微調整を行なえるようにしてもよい。
【００３３】
次に、ステップＳ５１４において未完了の分割撮影が存在するか否かを判定する。例えば、図４（ｂ）の撮影手技ボタン３０２による１×２の分割撮影を終えると、撮影手技ボタン３０１に関しては３枚までしか分割撮影を終えていないため、４×４の分割撮影が未完了の分割撮影として残っていることになる。したがって、処理はステップＳ５１４からステップＳ５１５へ進み、たとえば図４（ａ）に示したような撮影手技配置領域１２０を含む撮影画面１００を再度表示させる。その後、処理はステップＳ５０４へ戻り、未完了の撮影手技ボタンのサムネイル表示領域を選択中のサムネイル表示領域として以降の処理を行なう。例えば、図４（ｂ）の撮影手技ボタン３０２の分割撮影を終えて撮影終了ボタン１４０が押されると、撮影手技ボタン３０２のサムネイル表示領域３１１ｄが選択中となり、以下の分割撮影が行なわれるようになる。
【００３４】
以上のように、第１実施形態によれば、分割撮影を行っている間、撮影技師は、撮影手技ボタンにおいて選択中となっているサムネイル表示領域や撮影画像が表示されたサムネイル表示領域を確認することができる。そのため、撮影技師は、次にどの分割位置に対応した撮影を行なえば良いのか、撮影手技ボタンで撮影を行った画像がどこにレイアウトされるかを、分割撮影中に素早く判断できる。従って、分割撮影を行う時間の短縮、及び誤照射による再撮影の可能性の低下を実現した放射線撮影装置を提供することが可能となる。
【００３５】
＜第２実施形態＞
第２実施形態では、第１実施形態の構成において分割撮影を行っている間に、撮影を行った分割画像を再撮影することを可能とする構成を説明する。
【００３６】
図７は、第２実施形態の放射線撮影システムにおける撮影画面１００の表示例を示す図である。図７では、発生装置通信部２１２より２×２のレイアウト情報を受信して１枚分割撮影を行った場合の撮影画面１００の状態が示されている。第２実施形態の撮影画面１００では、第１実施形態の撮影画面１００（図２、図３）と比べて再撮影ボタン７６０が追加されている。
【００３７】
図８は、再撮影ボタン７６０の押下により、撮影手技配置領域１２０の代わりに表示される再撮影操作領域８２０のＧＵＩを示す図である。再撮影操作領域８２０において、配置先アイコン８２３は、再撮影を行う分割撮影のレイアウト先を示す。例えば、図７の撮影画面１００において、２×２レイアウトの左上にあるサムネイル表示領域３１１ａが選択された状態にして再撮影ボタン７６０が押下されたとする。この場合、再撮影の対象は左上の分割画像であり、再撮影操作領域８２０には、図８に示されるような配置先アイコン８２３（左上が配置先であることを示している）が表示される。配置先表示領域８２４には、再撮影を行う分割撮影のレイアウト先、及び印刷するページ枚数が表示される。
【００３８】
再撮影サムネイル表示領域８２１は、再撮影を行って得られた分割画像のサムネイルを表示する領域である。図８の例では、再撮影サムネイル表示領域８２１ａ、８２１ｂには、再撮影により得られた分割画像のサムネイルが表示されている。再撮影サムネイル表示領域８２１ａは非選択状態であり、再撮影サムネイル表示領域８２１ｂは選択状態となっている。また、再撮影サムネイル表示領域８２１ｃは、再撮影された分割画像が割り当てられておらず非選択状態である。この状態で再撮影が行なわれると、再撮影サムネイル表示領域８２１ｃに新たな分割画像が表示され、再撮影された分割画像が割り当てられていない新たな再撮影サムネイル表示領域が追加表示される。再撮影サムネイル表示領域８２１は、トグルボタンであり、再撮影操作領域８２０に配置されている再撮影サムネイル表示領域８２１のうち常に１つが選択されるようになっている。８２５は、再撮影終了ボタン８２５である。再撮影終了ボタン８２５が押された時点で選択中となっていた再撮影サムネイル表示領域に対応する分割画像が再撮影後の画像として適用される。なお、分割画像が割り当てられていない再撮影サムネイル表示領域８２１ｃを選択して再撮影終了ボタン８２５が押されると、再撮影の開始前の画像がそのまま用いられる。
【００３９】
次に、第２実施形態における放射線撮影装置システムによる分割撮影の動作について説明する。第２実施形態では、図５に示したフローチャートのＳ５１０の直前に図９に示す処理が追加される。撮影技師は、ステップＳ５０６で表示された撮影画像やサムネイル表示領域の画像を観察するなどして、分割画像が正しく取得されているかどうかを判断する。撮影技師は、正しく取得されていない分割画像が存在すると判断した場合、再撮影を行う分割画像のサムネイル表示領域３１１を選択して、再撮影ボタン７６０を押下する。再撮影ボタン７６０が押下されると、処理はステップＳ９０１からステップＳ９０２へ進む。ステップＳ９０２において、撮影装置制御部２１１は、画面表示部２１４に、撮影手技配置領域１２０、再撮影ボタン７６０、手技追加ボタン１５０、撮影終了ボタン１４０の表示を中止させ、代わりに再撮影操作領域８２０を表示させる。そして、ステップＳ９０３において、撮影装置制御部２１１は、放射線検出器２２０から画像が受信されるのを待つ。
【００４０】
撮影技師により照射スイッチ２３４が押下されると、発生装置制御部２３１が管球２３２を駆動して放射線照射を行う。なお、このとき選択された撮影手技ボタン或いはサムネイル表示領域にリンクされている撮影パラメータが放射線発生装置２３０や放射線検出器２２０に通知される。放射線検出器制御部２２１は撮影部２２２より撮影画像を取得して、取得した撮影画像を撮影装置通信部２２３を介して放射線撮影装置２１０へ送信する。こうして放射線撮影装置２１０の撮影装置通信部２１５が撮影画像を受信すると、処理はステップＳ９０３からステップＳ９０４へ進む。
【００４１】
ステップＳ９０４において、撮影装置制御部２１１は、画面表示部２１４を用いて、撮影画像表示領域１３０に撮影画像を表示する。そして、ステップＳ９０５において、撮影装置制御部２１１は撮影画像の照射領域を抽出して撮影画像表示領域１３０に切り出し領域１３２を表示し、抽出した照射領域より分割画像を生成する。ステップＳ９０６において、撮影装置制御部２１１は、再撮影サムネイル表示領域７２２に生成した分割画像を縮小表示する。また、撮影装置制御部２１１は、分割撮影を行っていない再撮影サムネイル表示領域８２１を再撮影操作領域８２０へ新たに追加表示する。
【００４２】
撮影技師は、得られた分割撮影を確認して再撮影を終了するか判断する。再撮影を終了する場合、撮影技師は、再撮影操作領域８２０に配置している再撮影サムネイル表示領域８２１のうち１つを選択して使用する分割撮影画像を選択して再撮影終了ボタン８２５を押下する。再撮影終了ボタン８２５が押下されると、処理はステップＳ９０７からステップＳ９０８へ進む。ステップＳ９０８において、撮影装置制御部２１１は、再撮影操作領域８２０の表示を終了して、撮影手技配置領域１２０、再撮影ボタン７６０、手技追加ボタン１５０、撮影終了ボタン１４０を再び表示する。次に、ステップＳ９０９において、撮影装置制御部２１１は、選択された再撮影サムネイル表示領域８２１に対応する分割画像で、再撮影ボタン７６０の押下時に選択されていたサムネイル表示領域３１１に対応する分割画像を更新する。すなわち、再撮影で得られた分割画像が適用されるレイアウト位置は、撮影手技表示の部分領域のうちの、再撮影が指示された時点で選択されていた部分領域に対応したレイアウト位置である。したがって、再撮影ボタン７６０の押下時に選択されていたサムネイル表示領域３１１が、選択された再撮影サムネイル表示領域８２１に表示されていた分割画像の縮小画像（サムネイル）で更新される。
【００４３】
以上のように、第２実施形態における放射線撮影装置では、分割撮影中に分割画像の再撮影を行うことが可能となる。この為、第１実施形態で得られる効果に加えて、分割撮影の再撮影をより容易に行うことができる。
【００４４】
＜第３実施形態＞
第３実施形態では、第１実施形態において分割撮影を行っている間に、実行中の分割撮影を保留することを可能とする構成について説明する。図１０は、第３実施形態の放射線撮影システムにおいて、撮影装置制御部２１１が発生装置通信部２１２より２×２のレイアウト情報を受信してから１枚の分割撮影を行った状態の、撮影画面１００の表示例を示す図である。第３実施形態による撮影画面１００では、第２実施形態の撮影画面１００（図７）に対して、再撮影ボタン７６０の代わりに検査保留ボタン１０６０が追加されている。また、図１１は、第３実施形態による放射線撮影システムの構成例を表すブロック図である。第３実施形態の放射線撮影装置２１０は、保留検査記憶部１１１５を有する。
【００４５】
次に、第３実施形態の放射線撮影装置システムにおける、検査保留処理について図１２のフローチャートを参照して説明する。第３実施形態では、図５に示したフローチャートのステップＳ５１０の直前に図１２に示す処理が追加される。撮影技師は、現在の検査を保留したい場合、検査保留ボタン１０６０を押下する。検査保留ボタン１０６０が押下されると、処理はステップＳ１２０１からステップＳ１２０２に進む。ステップＳ１２０２において、撮影装置制御部２１１は保留検査記憶部１１１５に現在の分割撮影に関する情報（たとえば、検査情報（撮影手技）、分割撮影画像とその分割位置、レイアウト情報）を記憶させる。次に、ステップＳ１２０３において、撮影装置制御部２１１は、画面表示部２１４による表示を、撮影画面１００から不図示の検査待機画面へ切り替える。なお、検査待機画面は、検査（分割撮影）を再開させるための検査再開ボタンを有しており、撮影装置制御部２１１は、ステップＳ１２０４において検査再開ボタンが押下されるのを待つ。
【００４６】
撮影技師が不図示の検査待機画面に表示されている検査再開ボタンを押下すると、処理はステップＳ１２０４からステップＳ１２０５へ進む。撮影装置制御部２１１は、保留検査記憶部１１１５に記憶した分割撮影に関する情報（たとえば、検査情報（撮影手技）、分割撮影画像とその分割位置、及びレイアウト情報）を復帰させ（ステップＳ１２０５）る。そして、撮影装置制御部２１１は、復帰した情報をもとに撮影画面１００を再表示する（ステップＳ１２０６）。
【００４７】
なお、第３実施形態の構成は、第１、第２実施形態のいずれの構成とも組み合わせることが可能である。したがって、第３実施形態における放射線撮影装置では、第１、第２実施形態で得られる効果に加えて、容易に分割撮影を行う検査を保留して再開することができる放射線撮影装置を提供することが可能となる。
【００４８】
＜第４実施形態＞
次に第４実施形態による放射線撮影情報の表示処理を説明する。第４実施形態では、第１〜第３実施形態で示した撮影手技ボタンの形状変化に関する変形例を説明する。図１３は、第４実施形態による撮影手技ボタンの表示例を示す図であり、撮影画面１００内の撮影手技配置領域１２０のみが示されている。上述のように、各撮影手技ボタンには撮影情報が関連付けられており、更に複数の放射線撮影により得られた放射線画像の出力のレイアウトを示すレイアウト情報が関連付けられている。
【００４９】
撮影装置制御部２１１は、撮影情報にしたがって複数の放射線撮影（分割撮影）を行ない、複数の放射線画像を得る。図１３（ａ）は、撮影装置制御部２１１が発生装置通信部２１２より２×２のレイアウト情報を受信し、３回まで分割撮影を行った場合の、撮影手技配置領域１２０を示している。撮影装置制御部２１１は、放射線画像の縮小画像を、撮影情報に関連付けられたレイアウト情報に従う配置を示す態様で、撮影情報（ここでは撮影手技名）とともに、撮影手技配置領域１２０に表示するよう表示制御する。この状況は、第１実施形態で説明した図４（ａ）の状況に対応する。撮影装置制御部２１１は、発生装置通信部２１２から受信した２×２のレイアウト情報より最大４回の分割撮影が必要であると判断し、撮影手技配置領域１２０に４つの撮影手技ボタン１３０１ａ〜１３０１ｄを表示する。これら撮影手技ボタン１３０１はトグルボタンであり、常に１つの撮影手技ボタンが選択される。図１３において、撮影手技ボタン１３０１ａ、１３０１ｂ、１３０１ｃは、非選択状態であり、撮影手技ボタン１３０１ｄは、選択状態となっている。本実施形態では、これら撮影手技ボタン１３０１ａ〜１３０１ｄにより撮影手技表示が構成されている。
【００５０】
撮影手技ボタン１３０１ａ〜１３０１ｄはそれぞれサムネイル表示領域１３０２ａ〜１３０２ｄを有している。撮影済みの撮影手技ボタンが有するサムネイル表示領域には、撮影を行った分割画像が対応する配置位置に縮小表示されている。すなわち、サムネイル表示領域１３０２ａにおける２×２分割画像は、撮影画像より照射領域を抽出して作成した分割画像を、レイアウト情報に基づいて配置した結果を表す画像である。例えば、撮影手技ボタン１３０１ａは２×２分割のうちの左上の撮影に対応している。したがって、撮影手技ボタン１３０１ａを選択中とした撮影により得られた分割画像の縮小画像は、サムネイル表示領域１３０２ａを２×２に分割した領域のうちの左上の領域に配置され表示される。また、未撮影の撮影手技ボタン１３０１ｄが有するサムネイル表示領域１３０２ｄには、未撮影の配置位置（ここでは、右下）を示す白抜きの矩形が表示されている。
【００５１】
図１３（ｂ）は、図１３（ａ）の状態において撮影装置制御部２１１が発生装置通信部２１２より１×２のレイアウト情報を受信し、１回の分割撮影を行った場合の、撮影手技配置領域１２０の表示状態を示す。この状況は、第１実施形態で説明した、図４（ｂ）の状況から１回の分割撮影を行なった状況に対応する。撮影装置制御部２１１は、１×２のレイアウト情報より最大２回の分割撮影が必要であると判断して、撮影手技配置領域１２０に２つの撮影手技ボタン１３０１ｅ、１３０１ｆを追加表示する。撮影手技ボタン１３０１ｅ、１３０１ｆが有するサムネイル表示領域１３０２ｅ，１３０２ｆには、撮影を行った１×２分割画像の縮小画像が表示される。この１×２分割画像は、撮影画像より照射領域を抽出して作成した分割画像をレイアウト情報に基づいて配置した結果を表す画像である。
【００５２】
なお、第４実施形態の構成は、第１〜第３実施形態のいずれの構成にも適用可能である。すなわち、第４実施形態における放射線撮影システムでは、第１〜第３実施形態における放射線撮影装置と異なる形状に撮影手技ボタン１２１を変化させているものであり、第１の実施形態と同様の効果を持つ放射線撮影装置を提供することが可能である。また、各撮影手技ボタンに撮影時のパラメータ（たとえば、管球２３２の駆動電流／駆動電圧など）を割り当て、選択された撮影手技ボタンに対応するパラメータを放射線発生装置２３０や放射線検出器２２０に送信して、放射線撮影を行なうようにしてもよい。
【００５３】
＜第５実施形態＞
第５実施形態では、第１実施形態において受信したレイアウト情報に必要な分割撮影を完了し、さらに次の分割撮影を行った場合に、出力画像を外部装置へ出力する構成を説明する。
【００５４】
第３実施形態の放射線撮影装置システムによる動作を図１４のフローチャートを参照して説明する。ステップＳ５０９の後、ステップＳ１４０１において、撮影装置制御部２１１は、レイアウト情報で指定された分割撮影が完了して画像の出力が可能か否かを判定する。出力可能でなければ処理はステップＳ５１０へ進み、出力可能であれば処理はステップＳ１４０２へ進む。ステップＳ１４０２において、撮影装置制御部２１１は、レイアウト情報で指定された分割撮影により得られた分割画像を、関連付けられた配置位置に配置して出力用の画像を生成し、画像出力部２１６から外部へ出力する。ステップＳ１４０３において、撮影装置制御部２１１は、対応する撮影手技ボタンを出力済みの形態に変更する、或いは、対応する撮影手技ボタンを削除する。なお、ステップＳ１４０２における出力用画像の生成、出力に際しては、レイアウト画面の表示は省略するものとする。
【００５５】
ここで、ステップＳ１４０１における画像の出力が可能か否かの判断は、たとえば以下の条件のいずれか或いは組み合わせによりなされる。
・次のレイアウト情報に対する分割撮影を実施した状態において、直前のレイアウト情報に対応する分割撮影の全分割画像の撮影を終えている場合、直前のレイアウト情報に対応する画像を出力可能である。
・あるレイアウト情報に関して分割画像を終えた時点で、それにより当該レイアウト情報に対する全分割画像の撮影が終了となる場合、当該レイアウト情報に対応する画像を出力可能である。
【００５６】
以上のように、第５実施形態における放射線撮影装置では、レイアウト情報に必要な分割撮影を完了して、次のレイアウト情報に対する分割撮影を実施した場合等において、ただちに出力画像が作成されて出力される。また、第５実施形態の構成は第１〜第４実施形態のいずれの構成にも適用可能である。この為、第１〜第４実施形態で得られる効果に加えて、撮影後直ちに外部画像受信装置にて出力画像を処理することが可能となり、連続して分割撮影を行なうような場合に、撮影技師の操作をより簡易にすることができる。
【００５７】
＜変形例＞
上記各実施形態では、放射線撮影装置２１０が放射線発生装置２３０から明示的なレイアウト情報を取得し、レイアウトに対応する手技ボタンを表示し、分割撮影の位置を指示するようにしたが、これに限られるものではない。たとえば、放射線撮影装置２１０においてレイアウトを選択するＧＵＩを提供して、ユーザに設定させるようにしてもよい。この場合、放射線発生装置２３０からレイアウト情報を通知する構成は不要となる。また、上記実施形態では、サムネイル表示領域或いは撮影手技ボタンの選択により受信された放射線画像とレイアウト位置を関連付けたが、これに限られるものではない。たとえば、放射線撮影装置２１０は、どの分割位置について撮影が行なわれたかを、
・放射線発生装置２３０の位置の情報、
・放射線検出器２２０が有するホトタイマの出力、
・放射線検出器２２０から受信した撮影画像の解析結果、
等のうちの少なくともいずれかあるいは組み合わせを利用して判断し、対応するサムネイル表示領域に受信した撮影画像を関連付けるようにしてもよい。また、各レイアウト位置で放射線画像を取得済みか否かを示す場合に、図１３に示したような撮影手技ボタンの表示において、分割撮影が行なわれた順番に撮影手技ボタンを並べ替えていくようにしてもよいし、撮影手技ボタンに撮影済みのマークを付すようにしてもよい。
【００５８】
更に、放射線撮影装置２１０が分割撮影であることおよびそのレイアウトを判定する方法として、たとえば、以下のような形態を用いてもよい。
・放射線発生装置２３０の発生制御装置が管球２３２の放射線絞りの位置や開口の大きさを検出して、これを放射線撮影装置２１０に通知する。放射線撮影装置２１０は受信された情報に基づいてレイアウトを判定する。たとえば、開口の大きさが全画面で撮影する場合の１／４の大きさの場合には、２×２のレイアウトの分割撮影であると判定される。
・放射線検出器２２０が有するホトタイマの出力を放射線撮影装置２１０が受信し、これに基づいて分割撮影のレイアウトや位置を決定する。たとえば、放射線撮影装置２１０は、ホトタイマの出力からセンサの全面ではなく上下左右のいずれかの部分で撮影が行なわれていることを検出すると、当該撮影が２×２のレイアウトの分割撮影であると判定することができる。
【００５９】
なお、各撮影手技ボタン或いはサムネイル表示領域に使用すべき画像処理パラメータを割り当てておいて、放射線撮影装置２１０が行なう画像処理に適用してもよい。このような画像処理パラメータとしては、たとえば未意義上撮影の場合には照射野抽出領域や素抜けの処理パラメータを通常（センサ全面を使用した撮影）とは異ならせたり、上下左右の撮影ごとに処理パラメータを異ならせたりすることが挙げられる。これらは、分割撮影の撮影位置に応じて画像処理のパラメータを変更しなければならないような場合に、好適である。
【００６０】
また、上記実施形態では、分割撮影について説明したが、これに限られるものではない。たとえば、イメージセンサの１面よりも大きな被写体（たとえば全身）を撮影する際に、複数の撮影により得られた画像を貼り合わせて１画面を生成する、いわゆる長尺撮影にも適用できる。すなわち、上記各実施形態は、複数の放射線画像を、設定されたレイアウトにしたがって配置して出力画像を生成する構成に適用できるものである。
【００６１】
以上のように、各実施形態によれば、分割撮影を行う場合、撮影手技ボタンの数が増えるに伴い、撮影技師が撮影画像とレイアウト先との対応の判断を容易にすることにより、分割撮影を行う際の撮影時間、及び誤照射の可能性を低減することができる。
【００６２】
以上、本発明の好ましい実施例について説明したが、本発明はこれらの実施例に限定されないことはいうまでもなく、その要旨の範囲内で種々の変形及び変更が可能である。
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013180064.tif 000003
【図２】
2013180064.tif 000004
【図３】
2013180064.tif 000005
【図４】
2013180064.tif 000006
【図５】
2013180064.tif 000007
【図６】
2013180064.tif 000008
【図７】
2013180064.tif 000009
【図８】
2013180064.tif 000010
【図９】
2013180064.tif 000011
【図１０】
2013180064.tif 000012
【図１１】
2013180064.tif 000013
【図１２】
2013180064.tif 000014
【図１３】
2013180064.tif 000015
【図１４】
2013180064.tif 000016